(57)【要約】      （修正有）【課題】付属装置において実行される聴覚装置を制御するための方法を提供する。【解決手段】聴覚装置２及び付属装置２００を備える聴覚システム３００において、付属装置２００は、インタフェース２０６、メモリ２０４、ディスプレイ２０２およびプロセッサ２０８を備える。方法は、環境パラメータを決定することと、環境パラメータに基づいて処理コンテキストパラメータを決定することと、処理コンテキストパラメータを表す第一のユーザインタフェースオブジェクトをディスプレイ２０２に表示することと、を備える。【選択図】図１
2020061731.tif 000002
【特許請求の範囲】
【請求項１】
付属装置において実行される、聴覚装置を制御するための方法であって、前記付属装置は、インタフェースと、メモリと、ディスプレイと、プロセッサを備えており、
前記方法は、
環境パラメータを決定することと、
前記環境パラメータに基づいて処理コンテキストパラメータを決定することと、
前記処理コンテキストパラメータを表す第一のユーザインタフェースオブジェクトを前記ディスプレイに表示することを備える、方法。
【請求項２】
前記環境パラメータに基づいて前記処理コンテキストパラメータを決定することが、
前記環境パラメータが１またはそれ以上の第一の基準を満たすか否かを判定することと、
前記環境パラメータが前記１またはそれ以上の第一の基準を満たすことに応じて、前記環境パラメータに対応する前記処理コンテキストパラメータを決定することを備える、請求項１の方法。
【請求項３】
前記環境パラメータが、場所パラメータおよび／または環境タイプパラメータを備える、請求項１または２の方法。
【請求項４】
前記処理コンテキストパラメータが、雑音除去スキーム識別子、および／または優先順位付けスキーム識別子、および／または前記聴覚装置に送信されるべき１またはそれ以上の出力信号を示す１またはそれ以上の出力信号インジケータを備える、請求項１から３の何れか一項の方法。
【請求項５】
前記環境パラメータに基づいてシーンタグを決定することと、
前記環境パラメータを前記シーンタグに関連付けることと、
前記シーンタグを表す第二のユーザインタフェースオブジェクトを前記ディスプレイに表示することをさらに備える、請求項１から４の何れか一項の方法。
【請求項６】
前記環境パラメータに基づいて前記シーンタグを決定することは、前記処理コンテキストパラメータに基づいて前記シーンタグを決定することを備える、請求項５の方法。
【請求項７】
前記処理コンテキストパラメータを表す前記第一のユーザインタフェースオブジェクトを選択するユーザ入力を検出することと、
前記ユーザ入力の検出に応答して、前記インタフェースを介して、前記処理コンテキストパラメータを前記聴覚装置に送信することをさらに備える、請求項１から６の何れか一項の方法。
【請求項８】
前記シーンタグを表す前記第二のユーザインタフェースオブジェクトを選択するユーザ入力を検出することと、
前記ユーザ入力の検出に応答して、前記シーンタグに対応する前記処理コンテキストパラメータを検索し、前記インタフェースを介して、前記処理コンテキストパラメータを前記聴覚装置に送信することをさらに備える、請求項１から７の何れか一項の方法。
【請求項９】
前記聴覚装置からの複数の入力信号を取得することをさらに備える、請求項１から８の何れか一項の方法。
【請求項１０】
前記環境パラメータに基づいて処理コンテキストパラメータを決定することが、
前記環境パラメータと前記複数の入力信号の少なくとも一部とに基づいて、聴覚処理スキームを決定することと、
前記処理コンテキストパラメータを聴覚装置に送信することを備える、請求項９の方法。
【請求項１１】
前記環境パラメータおよび／または前記複数の入力信号の少なくとも一部に基づいて、より好ましいシーンタグを決定することと、前記より好ましいシーンタグを表す第三のユーザインタフェースオブジェクトを前記ディスプレイに表示することとをさらに備える、請求項９または１０の方法。
【請求項１２】
前記より好ましいシーンタグを表す前記第三のユーザインタフェースオブジェクトを選択するユーザ入力を検出することと、
前記ユーザ入力の検出に応答して、前記インタフェースを介して、前記より好ましいシーンタグに対応する更新された処理コンテキストパラメータを前記聴覚装置に送信することをさらに備える、請求項１１の方法。
【請求項１３】
前記より好ましいシーンタグを表す前記第三のユーザインタフェースオブジェクトを選択するユーザ入力を検出することと、
前記ユーザ入力の検出に応答して、前記より好ましいシーンタグに対応する更新された処理コンテキストパラメータに基づいて前記聴覚処理スキームを選択し、前記聴覚処理スキームを前記複数の入力信号に適用し、前記インタフェースを介して、処理された前記入力信号を前記聴覚装置に送信することをさらに備える、請求項１１の方法。
【請求項１４】
メモリと、インタフェースと、プロセッサと、ディスプレイとを備える付属装置であって、
聴覚装置に接続するように構成されており、請求項１から１３の何れか一項の方法を実行するように構成されている、付属装置。
【請求項１５】
請求項１４の付属装置と、聴覚装置を備える聴覚システム。
【発明の詳細な説明】
【技術分野】
【０００１】
本開示は、聴覚装置制御の分野に関する。より具体的には、本開示は、聴覚装置を制御する方法および関連する付属装置に関する。
【背景技術】
【０００２】
聴覚装置を取り巻く音響状態は、しばしば、時間および空間において変化し得る種々の音源によって影響される。音源の例としては、例えば、より長い時間にわたって存在し、特定の場所に固有で、１日のうちの特定の時間に頻繁に存在する、雑音源が挙げられる。音源の例には、１またはそれ以上の個人のための音声源、１またはそれ以上の装置からの音源が含まれる。
【発明の概要】
【発明が解決しようとする課題】
【０００３】
従って、どの音源が望ましく、どの音源が望ましくないかを考慮して、環境に存在する条件への聴覚装置処理の適応をサポートすることができる、付属装置によって実行される、聴覚装置を制御するための方法および関連する付属装置が必要とされている。
【課題を解決するための手段】
【０００４】
本開示は、付属装置において実行される、聴覚装置を制御するための方法であって、付属装置は、インタフェース、メモリ、ディスプレイ、およびプロセッサを備える。方法は、環境パラメータを決定することを備える。方法は、環境パラメータに基づいて処理コンテキストパラメータを決定することを備える。方法は、処理コンテキストパラメータを表す第一のユーザインタフェースオブジェクトをディスプレイに表示することを備えてもよい。
【０００５】
本開示は、付属装置を介してユーザによる環境に基づく聴覚装置処理の効果的かつ簡単な制御を可能にする。
【０００６】
本開示は、メモリと、インタフェースと、プロセッサと、ディスプレイとを備える付属装置に関する。付属装置は、聴覚装置に接続するように構成されている。付属装置は、本明細書に開示される任意の方法を実行するように構成されてもよい。
【０００７】
本開示は、本明細書に開示される付属装置および聴覚装置を含む聴覚システムに関する。
【０００８】
本開示は、１またはそれ以上のユーザによって収集された環境情報を利用することによって、聴覚処理の最適化を可能にする方法、付属装置、および聴覚システムを提供する。
【０００９】
本明細書に開示されているようなユーザインタフェースを使用して、本開示による付属装置を使用して聴覚装置を制御することができることは、任意の聴覚装置のユーザにとって有利であり得る。本開示は、開示された付属装置によって制御される聴覚装置が、例えば所与の場所および／または時間において、所与の環境について予め記録された雑音に対して以前に適用された雑音相殺スキームに一足飛びに進むことを可能にし得る。本開示は、特定の選択された人物の音声を、例えば音響環境における他の音を越えて増幅することによって、ターゲットとされた人物からの音声信号に優先順位を付ける、および／または、例えば、重要な情報（火災報知器、ガス警報器等の危険）に関連するか、または動作（例えば、ドアベルが鳴る、郵便が届く等）に関連する事象を示すように、特定の場所または場所タイプにおける音声信号に優先順位を付けるのに特に有利であり得る。
【００１０】
本発明の上記および他の特徴および利点は、添付の図面を参照して、例示的な実施形態の以下の詳細な説明により、当業者に容易に明らかとなるであろう。
【図面の簡単な説明】
【００１１】
【図１】本開示による例示的な聴覚装置および本開示による付属装置を備える聴覚システムを概略的に示す図である。
【図２Ａ】本開示による例示的な方法のフロー図である。
【図２Ｂ】本開示による例示的な方法のフロー図である。
【図３】本開示による例示的な付属装置のディスプレイに表示される例示的なユーザインタフェースを概略的に示す図である。
【発明を実施するための形態】
【００１２】
種々の例示的な実施形態および詳細を、関連する場合には図面を参照して以下に説明する。図面は、縮尺通りに描かれていることもあれば、描かれていないこともあり、同様の構造または機能の要素は、図面全体を通して同様の参照番号によって表されることに留意されたい。図面は、実施形態の説明を容易にすることのみを意図していることにも留意されたい。これらは、本発明の包括的な説明または本発明の範囲の限定として意図されない。さらに、例示された実施形態は、示された全ての態様または利点を有する必要はない。特定の実施形態に関連して説明される態様または利点は、必ずしもその実施形態に限定されるものではなく、そのように図示されていなくても、またはそのように明示的に説明されていなくても、任意の他の実施形態において実施することができる。
【００１３】
本開示は、付属装置において実行される、聴覚装置を制御するための方法に関し、付属装置は、インタフェース、メモリ、ディスプレイ、およびプロセッサを備える。
【００１４】
本明細書で使用する「付属装置」という用語は、聴覚装置と通信することができる装置を意味する。付属装置は、聴覚装置のユーザが制御するコンピュータ装置を意味してもよい。付属装置は、ハンドヘルドデバイス、リレー、タブレット、パーソナルコンピュータ、携帯電話、パーソナルコンピュータまたはタブレット上で動作するアプリケーション、またはパーソナルコンピュータに接続された携帯電話および／またはＵＳＢドングルを備えてもよい。付属装置は、聴覚装置と通信するように構成されてもよい。付属装置は、例えば、情報を聴覚装置に送信することによって、聴覚装置の動作を制御するように構成されてもよい。
【００１５】
方法は、環境パラメータを決定することを備える。例えば、方法は、プロセッサを使用して、環境パラメータを決定することを備えてもよい。方法は、環境パラメータに基づいて処理コンテキストパラメータを決定することを備える。例えば、方法は、プロセッサを使用して、環境パラメータに基づいて処理コンテキストパラメータを決定することを備えてもよい。方法は、処理コンテキストパラメータを表す第一のユーザインタフェースオブジェクトをディスプレイに表示することを備えてもよい。ディスプレイは、タッチセンシティブディスプレイを備えてもよい。
【００１６】
環境パラメータは、場所を示してもよい。方法は、決定された処理コンテキストパラメータをメモリに記憶すること、例えば、一時的または永続的に記憶することを備えてもよい。
【００１７】
１またはそれ以上の例示的な方法において、ユーザインタフェースオブジェクト、例えば第一のユーザインタフェースオブジェクトおよび／または第二のユーザインタフェースオブジェクトを表示することは、テキストプロンプト、アイコンおよび／または画像を表示することを備える。第一のユーザインタフェースオブジェクトは、聴覚処理スキーム識別子を表してもよい。
【００１８】
１またはそれ以上の例示的な方法において、方法は、処理コンテキストパラメータを表す第一のユーザインタフェースオブジェクトを選択するユーザ入力を検出することを備える。１またはそれ以上の例示的な方法において、方法は、ユーザ入力の検出に応答して、インタフェースを介して処理コンテキストパラメータを聴覚装置に送信することを備える。
【００１９】
本明細書において、処理コンテキストパラメータとは、聴覚装置が動作している環境のコンテキストを示すパラメータであり、例えば、雑音を軽減し、圧縮し、入力信号に優先順位を付けて聴覚装置の処理を改善するために、例えば、聴力損失の補償のために、環境において（好ましくは）使用される処理スキームを示す。
【００２０】
１またはそれ以上の例示的な方法において、環境パラメータは、場所パラメータおよび／または環境タイプパラメータを備える。場所パラメータは、聴覚装置の場所を示してもよい。環境タイプパラメータは、環境タイプまたは場所タイプを示してもよい。環境タイプまたは場所タイプは、屋内場所タイプ、屋外場所タイプ、鉄道駅タイプ、空港タイプ、コンサートホールタイプ、学校タイプ、教室タイプ、車両タイプ（例えば、聴覚装置が、移動中の列車、自動車、自転車などの車両に位置しているか否かを示す）のうちの１またはそれ以上を示してもよい。
【００２１】
環境パラメータを決定することは、無線入力信号を受信することと、無線入力信号に基づいて環境パラメータを決定することとを備えてもよい。例えば、無線ローカルエリアネットワークから無線入力信号を受信することは、場所パラメータ（例えば、自宅、オフィス、学校、レストランなどの場所）、または環境タイプパラメータ（例えば、屋内場所タイプ、空港タイプ、コンサートホールタイプ、学校タイプ、教室タイプ）を示してもよい。例えば、無線ナビゲーションネットワーク（例えばＧＰＳ）から無線位置特定入力信号を受信することは、場所パラメータ（例えば、自宅、オフィス、学校、レストランなどの場所や、場所の情報（例えば地理的座標））、または環境タイプパラメータ（例えば、屋内場所タイプ、空港タイプ、コンサートホールタイプ、学校タイプ、教室タイプ、車両タイプ）を示してもよい。例えば、近距離無線システム（例えばＢｌｕｅｔｏｏｔｈ（登録商標））から無線入力信号を受信することは、場所パラメータ（例えば、自宅、オフィス、学校などの場所）、または環境タイプパラメータ（例えば、屋内場所タイプ、車両タイプ（例えば、車両が近距離無線入力信号を送信する場合））を示してもよい。
【００２２】
１またはそれ以上の例示的な方法において、付属装置は、無線入力信号（例えば、場所パラメータ（例えば、自宅、オフィス、学校、レストランなどの場所）または環境タイプパラメータ（例えば、屋内場所タイプ、空港タイプ、コンサートホールタイプ、学校タイプ、教室タイプ）を示す無線ローカルエリアネットワークからの無線入力信号；場所パラメータ（例えば、自宅、オフィス、学校、レストランなどの場所や、場所の情報（例えば地理的座標））または環境タイプパラメータ（例えば、屋内場所タイプ、空港タイプ、コンサートホールタイプ、学校タイプ、教室タイプ、車両タイプ）を示す無線ナビゲーションネットワーク（例えばＧＰＳ）からの無線位置特定入力信号；場所パラメータ（例えば、自宅、オフィス、学校などの場所）または環境タイプパラメータ（例えば、屋内場所タイプ、車両タイプ（例えば、車両が近距離無線入力信号を送信する場合））を示す近距離無線システム（例えばＢｌｕｅｔｏｏｔｈ）からの無線入力信号）を受信し、無線入力信号に基づいて環境パラメータを決定し、決定された環境パラメータを聴覚装置に提供する（例えば送信する）ように構成される。
【００２３】
１またはそれ以上の例示的な方法において、環境パラメータに基づいて処理コンテキストパラメータを決定することは、環境パラメータが１またはそれ以上の第一の基準を満たすか否かを判定することを含む。１またはそれ以上の例示的な方法において、環境パラメータに基づいて処理コンテキストパラメータを決定することは、環境パラメータが１またはそれ以上の第一の基準を満たすことに応じて、環境パラメータに対応する処理コンテキストパラメータを決定することを備える。１またはそれ以上の例示的な方法において、１またはそれ以上の第一の基準は、場所の基準を備え、環境パラメータが１またはそれ以上の第一の基準を満たすか否かを判定することは、環境パラメータが場所の基準を満たすか否かを判定することを備える。１またはそれ以上の例示的な方法において、環境パラメータが場所の基準を満たすか否かを判定することは、環境パラメータが、聴覚処理データベース内に存在する地理的領域に含まれる場所を示すか否かを判定することを含む。聴覚処理データベースは、聴覚処理スキーム識別子のセット、音響信号の１またはそれ以上のセット（例えば、聴覚装置のレシーバにより提供される出力信号）、対応するタイムスタンプのうちの１またはそれ以上を含むデータベースを意味してもよい。聴覚処理データベースは、聴覚処理ライブラリ、例えば聴覚処理コレクション、例えば聴覚処理マップを備えることが考えられる。聴覚処理データベースは、聴覚装置メモリのメモリユニット、聴覚装置に結合された付属装置、または聴覚装置および／または付属装置からの要求に応じて処理コンテキストパラメータを検索可能な遠隔記憶手段のうちの１またはそれ以上に記憶されてもよい。
【００２４】
環境パラメータが、聴覚処理データベース内に存在する地理的領域内に含まれる場所を示すか否かを判定することは、環境パラメータを含む要求を遠隔に配置された聴覚処理データベースに送信することと、環境パラメータが聴覚処理データベース内に存在する地理的領域内に含まれる場所を示すか否かの指標を含む応答を受信することと、オプションとして環境パラメータが聴覚処理データベース内に存在する地理的領域内に含まれる場所を示す場合に、処理コンテキストパラメータを受信することとを備えてもよい。
【００２５】
１またはそれ以上の第一の基準は、時間の基準を備えてもよい。時間の基準は、期間を備えてもよい。環境パラメータが１またはそれ以上の第一の基準を満たすか否かを判定することは、環境パラメータが時間の基準の期間内に作成および／または更新された場所を示すか否かを判定することによって、環境パラメータが時間の基準を満たすか否かを判定することを備えてもよい。環境パラメータが、時間の基準の期間を超えて作成および／または更新された場所を示しているとの判定に応じて、環境パラメータが時間の基準を満たしておらず、それによって１またはそれ以上の第一の基準を満たしていないと判定される。
【００２６】
方法は、例えば、付属装置の１またはそれ以上のマイクロフォンを介して、および／または、聴覚装置または外部装置から付属装置のインタフェースを介して（例えば付属装置の無線インタフェースを介して）、１またはそれ以上の入力信号を取得することを備えてもよい。入力信号は、マイクロフォン入力信号および／または無線入力信号（例えば、無線ストリーミング信号）を備えてもよい。１またはそれ以上の入力信号を取得することは、（例えば、１またはそれ以上のマイクロフォンを介して）音響環境から、またはインタフェースを介して付属装置と通信するように構成された聴覚装置から、１またはそれ以上の入力信号を取得することを備えてもよい。
【００２７】
１またはそれ以上の例示的な方法において、方法は、環境パラメータが第一の基準を満たさないことに応じて、１またはそれ以上の入力信号の少なくとも一部を記録することを備える。１またはそれ以上の例示的な方法において、方法は、環境パラメータが第一の基準を満たさないことに応じて、１またはそれ以上の入力信号の少なくとも一部および／または１またはそれ以上の入力信号の少なくとも一部を特徴付ける１またはそれ以上のパラメータをメモリに記憶することを備える。
【００２８】
１またはそれ以上の例示的な方法において、処理コンテキストパラメータは、雑音除去スキーム識別子および／または優先順位付けスキーム識別子、および／または聴覚装置に送信されるべき１またはそれ以上の出力信号を示す１またはそれ以上の出力信号インジケータを備える。１またはそれ以上の例示的な方法において、１またはそれ以上の出力信号は、警報信号、アラーム信号および／または１またはそれ以上のストリーム信号を備える。処理コンテキストパラメータは、環境パラメータに対する音源の望ましさの観点で、ユーザの好みを反映してもよい。処理コンテキストパラメータは、雑音除去スキーム識別子、および／または優先順位付けスキーム識別子、および／または聴覚装置によって出力されるべき１またはそれ以上の出力信号を示す１またはそれ以上の出力信号インジケータを備えてもよい。雑音除去スキーム識別子は、雑音除去スキームを一意に識別する識別子を意味してもよい。優先順位付けスキーム識別子は、優先順位付けスキームを一意に識別する識別子を意味してもよい。１またはそれ以上の出力インジケータは、例えばレシーバによって、聴覚装置によって出力されるべき１またはそれ以上の出力信号（例えば、警報音、アラーム音、ストリームされた信号）を示す。
【００２９】
１またはそれ以上の例示的な方法において、方法は、環境パラメータに基づいてシーンタグを決定することを備える。シーンタグは、例えば、職場、家庭、学校、屋内および／または屋外の音響環境を示してもよい。１またはそれ以上の例示的な方法において、方法は、環境パラメータをシーンタグに関連付けることを備える。１またはそれ以上の例示的な方法において、方法は、シーンタグを表す第二のユーザインタフェースオブジェクトをディスプレイに表示することを備える。
【００３０】
１またはそれ以上の例示的な方法において、環境パラメータを表すシーンタグを決定することは、処理コンテキストパラメータ（例えば、付属装置に結合された聴覚装置によって使用される聴覚処理のコンテキストを示すパラメータ、例えば、聴覚装置に適用される聴覚処理スキームを示すパラメータ）に基づいてシーンタグを決定することを備える。
【００３１】
１またはそれ以上の例示的な方法において、方法は、シーンタグを表す第二のユーザインタフェースオブジェクトを選択するユーザ入力を検出することと、ユーザ入力の検出に応答して、シーンタグに対応する処理コンテキストパラメータを検索することと、インタフェースを介して処理コンテキストパラメータを聴覚装置に送信することとを備える。
【００３２】
１またはそれ以上の例示的な方法において、方法は、例えばルックアップテーブルにおいて、例えばメモリにおいて、１またはそれ以上の処理コンテキストパラメータおよび１またはそれ以上の環境パラメータをシーンタグに関連付けることを備える。例えば、シーンタグ「学校」は、学校環境を示す環境パラメータと、教師の音声の優先順位付けのための優先順位付けスキーム識別子を含む処理コンテキストパラメータとに関連付けられてもよい。例えば、シーンタグ「屋外駅」は、屋外の列車駅環境を示す環境パラメータと、屋外の雑音除去スキーム識別子およびデシベルレベルを含む処理コンテキストパラメータと、および／または駅の管理人からの警告の優先順位付けのための優先順位付けスキーム識別子とに関連付けられてもよい。
【００３３】
１またはそれ以上の例示的な方法において、方法は、聴覚装置からの複数の入力信号を取得することを備える。聴覚装置からの複数の入力信号は、例えば、付属装置と通信するように構成された聴覚装置によってキャプチャされた１またはそれ以上のマイクロフォン入力信号に基づく、聴覚装置からの複数の無線入力信号を備えてもよい。
【００３４】
１またはそれ以上の例示的な方法において、環境パラメータに基づいて処理コンテキストパラメータを決定することは、環境パラメータと複数の入力信号の少なくとも一部とに基づいて、聴覚処理スキームを決定することを備える。環境パラメータおよび複数の入力信号の少なくとも一部に基づいて聴覚処理スキームを決定することは、処理コンテキストパラメータに基づいて実行されてもよい。１またはそれ以上の例示的な方法において、環境パラメータに基づいて処理コンテキストパラメータを決定することは、処理コンテキストパラメータを聴覚装置に送信することを備える。
【００３５】
１またはそれ以上の例示的な方法において、方法は、処理コンテキストパラメータに基づいて聴覚処理スキームを選択することと、聴覚処理スキームを複数の入力信号の少なくとも一部または複数の入力信号に適用することと、インタフェースを介して、処理された入力信号を聴覚装置に送信することとを備える。
【００３６】
１またはそれ以上の例示的な方法において、方法は、環境パラメータおよび／または複数の入力信号の少なくとも一部に基づいて、より好ましいシーンタグを決定することを備える。方法は、より好ましいシーンタグを表す第三のユーザインタフェースオブジェクトをディスプレイに表示することを備えてもよい。例えば、環境パラメータに基づくより好ましいシーンタグとは、環境パラメータおよび／または複数の入力信号の少なくとも一部に基づく聴覚処理を補聴器において改善または実行するために適切であると付属装置により決定されるシーンタグを意味する。付属装置は、聴覚装置での最適な処理のために、環境パラメータを対応する処理コンテキストパラメータと共に記憶するように構成されたコレクティブ聴覚処理データベースにアクセスするように構成されてもよい。付属装置は、決定された環境パラメータを、対応する決定された処理コンテキストパラメータと、聴覚装置での最適な処理のためのより好ましいシーンタグとともに、メモリに記憶するように構成されてもよい。
【００３７】
１またはそれ以上の例示的な方法において、方法は、より好ましいシーンタグを表す第三のユーザインタフェースオブジェクトを選択するユーザ入力を検出することを備える。１またはそれ以上の例示的な方法において、方法は、ユーザ入力の検出に応答して、インタフェースを介して、より好ましいシーンタグに対応する更新された処理コンテキストパラメータを聴覚装置に送信することを備える。例えば、付属装置は、デフォルトのユーザ選好に基づいてシーンタグの選択を実行してもよく、方法は、より好ましいシーンタグを決定することと、より好ましいシーンタグを表す第三のユーザインタフェースオブジェクトをディスプレイに表示することと、より好ましいシーンタグを表す第三のユーザインタフェースオブジェクトを選択するユーザ入力を検出することと、ユーザ入力を検出することに応答して、インタフェースを介して、より好ましいシーンタグに対応する更新された処理コンテキストパラメータを聴覚装置に送信することとを備える。
【００３８】
本開示は、付属装置による聴覚装置の改善された制御を提供し、その結果、聴覚装置における聴覚処理が改善される。なぜなら、本開示は、付属装置の能力を利用して聴覚装置のための改善された処理スキームを選択し表示することにより、聴覚処理の調整を可能にするからである。
【００３９】
１またはそれ以上の例示的な方法において、方法は、より好ましいシーンタグを表す第三のユーザインタフェースオブジェクトを選択するユーザ入力を検出することを備える。１またはそれ以上の例示的な方法において、方法は、ユーザ入力の検出に応答して、より好ましいシーンタグに対応する更新された処理コンテキストパラメータに基づいて聴覚処理スキームを選択することと、複数の入力信号に聴覚処理スキームを適用することと、インタフェースを介して処理された入力信号を聴覚装置に送信することとを備える。これにより、聴覚装置に処理された入力信号を直接提供することができ、聴覚装置のバッテリ寿命を向上させることができる。
【００４０】
入力信号優先順位付けスキームは、ブラインド音源分離スキームを適用することによって、聴覚装置によって取得された１またはそれ以上の入力信号に基づいて音声を識別するように構成されてもよい。
【００４１】
開示された技術が適用され、Ｎ個の音源が付属装置のＭ個のマイクロフォンに混合された例では、聴覚処理（例えば混合処理）は線形であり、線形の聴覚処理の係数は未知（「ブラインド」部分とも呼ばれる）であると仮定される。
【００４２】
付属装置の１またはそれ以上のマイクロフォンを介して取得される、ベクトルｘで表現された入力信号は、例えば次式で表すことができる。
ｘ＝Ａ＊ｓ＋ｎ    （１）
ここで、ｓは音源のベクトルを表し、ｎは雑音の観測値を表す。Ａ，Ｓおよびｎは、未知の変数を表す。
【００４３】
ブラインド音源分離スキームを適用することは、この例では、線形の非混合スキームを、１またはそれ以上の音源から受信された入力信号に適用することを備えており、以下の音源ベクトルの推定値ｓを、例えば次式によって取得することができる。
ｓ＾＝Ｗ＊ｘ＝ｓ＋Ｗ＊ｎ    （２）
ここで、Ｗは非混合行列を表す。
【００４４】
線形の非混合スキームを適用することは、例えば未知の変数ｓに、以下の１またはそれ以上の仮定を適用することによって、非混合行列Ｗを推定することを備えてもよい。
音源（または音源から取得される入力信号を表すランダム変数）は無相関であると仮定される。および／または、
音源（または音源から取得される入力信号を表すランダム変数）は統計的に独立であり、独立成分分析が適用可能であると仮定される。および／または、
音源（または音源から取得される入力信号を表すランダム変数）は非定常であると仮定される。
【００４５】
また、音源（または音源から取得される入力信号を表すランダム変数）は独立しており、均等に分布していると仮定してもよい。
【００４６】
音源（または音源から取得される入力信号を表すランダム変数）が非相関かつ非定常であると仮定される場合、非混合行列Ｗの推定は、ＰａｒａおよびＳｐｅｎｃｅによって公表された非定常音源の畳み込みブラインド音源分離のような、畳み込みブラインド音源分離スキームを適用することによって、実行されてもよい。
【００４７】
入力信号は、音声成分と雑音成分とを備えてもよい。非混合行列Ｗの推定は、音声特性に関する仮定（例えば音声信号の分布）、および／または雑音に関する仮定（例えば雑音の分布）に基づいてもよい。
【００４８】
雑音の分布は、独立で、均等に分布していると仮定してもよい。雑音の分布は、非負の行列分解により取得される雑音依存辞書に基づくと仮定してもよい。
【００４９】
音声の分布は、独立で、均等に分布していると仮定してもよい。音声の分布は、非負の行列分解により取得される雑音依存辞書に基づくと仮定してもよい。
【００５０】
聴覚処理スキームは、処理コンテキストパラメータに基づいて選択された雑音除去スキーム、および／または処理コンテキストパラメータに基づいて選択された入力信号優先順位付けスキームを備えてもよい。
【００５１】
聴覚処理スキームは、（聴覚処理を聴覚装置の環境に適応させるために）環境パラメータに基づいて調整またはカスタマイズされた雑音除去スキーム、および／または（聴覚処理を聴覚装置の環境に適応させるために）環境パラメータに基づいて調整またはカスタマイズされた処理コンテキストパラメータに基づいて選択された入力信号優先順位付けスキームを備えてもよい。
【００５２】
環境パラメータを取得することは、入力信号を取得することと、入力信号に基づいて環境パラメータを決定することとを備えてもよい。例えば、入力信号は、環境を示す無線通信信号、例えば、環境（オフィス、レストラン、駅、学校、ホテル、ホテルロビー等）を示すＷＬＡＮ信号、および／または（例えば、屋外または屋内環境を示す）音声信号を備えてもよい。
【００５３】
本開示は、メモリと、インタフェースと、プロセッサと、ディスプレイとを備える付属装置に関し、付属装置は、聴覚装置に接続するように構成される。付属装置は、本明細書に開示される任意の方法を実行するように構成されてもよい。付属装置は、マイクロフォンのセットを備えてもよい。マイクロフォンのセットは、１またはそれ以上のマイクロフォンを備えてもよい。
【００５４】
本開示は、本明細書に開示される付属装置および聴覚装置を含む聴覚システムに関する。聴覚装置は、プロセッサが、ユーザの聴力損失を補償するように構成された、ヒアラブル（例えばヘッドセット、イヤホン）または補聴器であってもよい。本開示は、ヒアラブルおよび補聴器に適用される。
【００５５】
１またはそれ以上の好ましい実施形態では、聴覚装置は、ユーザの聴力損失を補償するように構成された補聴器である。聴覚装置は、耳かけ型（ＢＴＥ）、耳あな型（ＩＴＥ）、カナル型（ＩＴＣ）、カナル内レシーバ型（ＲＩＣ）、耳内レシーバ型（ＲＩＴＥ）であってもよい。補聴器は、バイノーラル補聴器であってもよい。聴覚装置は、本明細書に開示されるようなイヤピースである、第一のイヤピースおよび第二のイヤピースを備えていてもよい。
【００５６】
聴覚装置は、メモリと、インタフェースと、聴力損失を補償するように構成され得るプロセッサと、レシーバと、１またはそれ以上のマイクロフォンとを備える。聴覚装置は、本明細書に開示される任意の方法を実行するように構成される。プロセッサは、本明細書に開示された任意の方法を実行するように構成される。
【００５７】
聴覚装置は、１またはそれ以上の無線入力信号、例えば、第一の無線入力信号および／または第二の無線入力信号をアンテナ出力信号に変換するためのアンテナを備える。無線入力信号は、例えば、スパウスマイクロフォン装置、無線ＴＶオーディオ送信機、聴覚装置に結合された付属装置、および／または無線送信機に関連付けられた分散型マイクロフォンアレイなどの外部信号源に由来する。
【００５８】
聴覚装置は、アンテナ出力信号を送受信機入力信号に変換するために、アンテナに結合された無線送受信機を備える。異なる外部信号源からの無線信号は、無線送受信機内で送受信機入力信号に多重化されてもよく、または無線送受信機の別々の送受信機出力端子上に別々の送受信機入力信号として提供されてもよい。聴覚装置は、複数のアンテナを含んでもよく、および／またはアンテナは、１またはそれ以上のアンテナモードで動作するように構成されてもよい。送受信機入力信号は、第一の外部信号源からの第一の無線信号を表す第一の送受信機入力信号を備える。
【００５９】
聴覚装置は、マイクロフォンのセットを備える。マイクロフォンのセットは、１またはそれ以上のマイクロフォンを備えてもよい。マイクロフォンのセットは、第一のマイクロフォン入力信号を提供するための第一のマイクロフォン、および／または第二のマイクロフォン入力信号を提供するための第二のマイクロフォンを備える。マイクロフォンのセットは、Ｎ個のマイクロフォン信号を提供するためのＮ個のマイクロフォンを含むことができ、Ｎは１から１０の範囲の整数である。１またはそれ以上の例示的な聴覚装置において、マイクロフォンの数Ｎは、２，３，４，５またはそれ以上である。マイクロフォンのセットは、第三のマイクロフォン入力信号を提供するための第三のマイクロフォンを備えてもよい。
【００６０】
聴覚装置は、入力信号、例えば単一の入力信号、例えばマイクロフォン入力信号、例えば前処理された入力信号、例えば無線入力信号を処理するプロセッサを備える。プロセッサは、入力信号に基づく電気出力信号をレシーバに提供する。
【００６１】
聴覚装置は、付属装置からの処理コンテキストパラメータおよび／または付属装置からの処理された入力信号を取得するように構成された前処理ユニットを備えてもよい。プロセッサは、処理コンテキストパラメータに基づいて第一の聴覚処理スキームを選択し、選択された第一の聴覚処理スキームを聴覚装置の入力信号に適用するように構成される。処理された入力信号は、ユーザの外耳道に信号を出力するように構成されたレシーバに提供されてもよい。
【００６２】
図１は、本開示による例示的な聴覚装置および本開示による付属装置を含む聴覚システムを示す図である。
【００６３】
図面は、明確にするために概略的かつ簡略化されており、それらは、本発明の理解に不可欠な詳細を単に示しているに過ぎず、他の詳細は省略されている。全体を通して、同一または対応する部分には同一の参照番号が使用される。
【００６４】
図１は、本明細書に開示される、例示的な聴覚装置２と、例示的な付属装置２００とを備える、例示的な聴覚システム３００を示す。 
【００６５】
付属装置２００は、メモリ２０４と、インタフェース２０６と、プロセッサ２０８と、ディスプレイ２０２とを備え、付属装置２００は、聴覚装置２に接続するように構成される。付属装置２００は、本明細書に開示される任意の方法を実行するように構成される。プロセッサ２０８は、環境パラメータを決定し、環境パラメータに基づいて処理コンテキストパラメータを決定するように構成される。
【００６６】
ディスプレイ２０２は、処理コンテキストパラメータを表す第一のユーザインタフェースオブジェクトをディスプレイに表示するように構成されてもよい。
【００６７】
インタフェース２０６は、無線通信インタフェースのような通信インタフェースを備えてもよい。インタフェース２０６は、例えばサーバから環境パラメータを取得するように構成されてもよい。
【００６８】
付属装置２００は、マイクロフォンのセットを備えてもよい。マイクロフォンのセットは、１またはそれ以上のマイクロフォンを備えてもよい。
【００６９】
１またはそれ以上の例示的な付属装置において、環境パラメータは、場所パラメータおよび／または環境タイプパラメータを備える。場所パラメータは、聴覚装置の場所を示してもよい。環境タイプパラメータは、環境タイプまたは場所タイプを示してもよい。環境タイプまたは場所タイプは、屋内場所タイプ、屋外場所タイプ、鉄道駅タイプ、空港タイプ、コンサートホールタイプ、学校タイプ、教室タイプ、車両タイプ（例えば、聴覚装置が、移動中の列車、自動車、自転車などの車両に位置しているか否かを示す）のうちの１またはそれ以上を示してもよい。
【００７０】
プロセッサ２０８は、インタフェース２０６を介して無線入力信号を受信し、無線入力信号に基づいて環境パラメータを決定することで、環境パラメータを決定するように構成されてもよい。例えば、無線ローカルエリアネットワークから無線入力信号を受信することは、場所パラメータ（例えば、自宅、オフィス、学校、レストランなどの場所）、または環境タイプパラメータ（例えば、屋内場所タイプ、空港タイプ、コンサートホールタイプ、学校タイプ、教室タイプ）を示してもよい。例えば、無線ナビゲーションネットワーク（例えばＧＰＳ）から無線位置特定入力信号を受信することは、場所パラメータ（例えば、自宅、オフィス、学校、レストランなどの場所や、場所の情報（例えば地理的座標））、または環境タイプパラメータ（例えば、屋内場所タイプ、空港タイプ、コンサートホールタイプ、学校タイプ、教室タイプ、車両タイプ）を示してもよい。例えば、近距離無線システム（例えばＢｌｕｅｔｏｏｔｈ）から無線入力信号を受信することは、場所パラメータ（例えば、自宅、オフィス、学校などの場所）、または環境タイプパラメータ（例えば、屋内場所タイプ、車両タイプ（例えば、車両が近距離無線入力信号を送信する場合））を示してもよい。
【００７１】
１またはそれ以上の例示的な付属装置において、インタフェース２０６は、無線入力信号（例えば、場所パラメータ（例えば、自宅、オフィス、学校、レストランなどの場所）または環境タイプパラメータ（例えば、屋内場所タイプ、空港タイプ、コンサートホールタイプ、学校タイプ、教室タイプ）を示す無線ローカルエリアネットワークからの無線入力信号；場所パラメータ（例えば、自宅、オフィス、学校、レストランなどの場所や、場所の情報（例えば地理的座標））または環境タイプパラメータ（例えば、屋内場所タイプ、空港タイプ、コンサートホールタイプ、学校タイプ、教室タイプ、車両タイプ）を示す無線ナビゲーションネットワーク（例えばＧＰＳ）からの無線位置特定入力信号；場所パラメータ（例えば、自宅、オフィス、学校などの場所）または環境タイプパラメータ（例えば、屋内場所タイプ、車両タイプ（例えば、車両が近距離無線入力信号を送信する場合））を示す近距離無線システム（例えばＢｌｕｅｔｏｏｔｈ）からの無線入力信号）を受信し、無線入力信号に基づいて環境パラメータを決定する際にプロセッサ２０８をサポートし、決定された環境パラメータを聴覚装置２に提供する（例えば送信する）ように構成される。
【００７２】
プロセッサ２０８は、環境パラメータが１またはそれ以上の第一の基準を満たすか否かを判定することによって、環境パラメータに基づいて処理コンテキストパラメータを決定するように構成されてもよい。１またはそれ以上の例示的な方法において、環境パラメータに基づいて処理コンテキストパラメータを決定することは、環境パラメータが１またはそれ以上の第一の基準を満たすことに応じて、環境パラメータに対応する処理コンテキストパラメータを決定することを備える。１またはそれ以上の例示的な方法において、１またはそれ以上の第一の基準は、場所の基準を備え、環境パラメータが１またはそれ以上の第一の基準を満たすか否かを判定することは、環境パラメータが場所の基準を満たすか否かを判定することを備える。１またはそれ以上の例示的な方法において、環境パラメータが場所の基準を満たすか否かを判定することは、環境パラメータが、聴覚処理データベース内に存在する地理的領域に含まれる場所を示すか否かを判定することを備える。聴覚処理データベースは、聴覚処理スキーム識別子のセット、音響信号の１またはそれ以上のセット（例えば、聴覚装置のレシーバにより提供される出力信号）、対応するタイムスタンプのうちの１またはそれ以上を含むデータベースを意味してもよい。聴覚処理データベースは、聴覚処理ライブラリ、例えば聴覚処理コレクション、例えば聴覚処理マップを備えることが考えられる。聴覚処理データベースは、聴覚装置メモリのメモリユニット、聴覚装置に結合された付属装置、または聴覚装置および／または付属装置からの要求に応じて処理コンテキストパラメータを検索可能な遠隔記憶手段のうちの１またはそれ以上に記憶されてもよい。
【００７３】
プロセッサ２０８は、例えば、処理コンテキストパラメータ（例えば、付属装置に結合された聴覚装置によって使用される聴覚処理のコンテキストを示すパラメータ、例えば、聴覚装置に適用される聴覚処理スキームを示すパラメータ）に基づいてシーンタグを決定することによって、環境パラメータに基づいてシーンタグを決定するように構成されてもよい。
【００７４】
プロセッサ２０８は、１またはそれ以上の処理コンテキストパラメータおよび１またはそれ以上の環境パラメータをシーンタグに関連付けるように構成されてもよい。
【００７５】
プロセッサ２０８は、環境パラメータおよび／または複数の入力信号の少なくとも一部に基づいて、より好ましいシーンタグを決定するように構成されてもよい。
【００７６】
インタフェース２０６は、聴覚装置２からの複数の入力信号２０１を取得するように構成されてもよい。聴覚装置２からの複数の入力信号２０１は、例えば、付属装置２００と通信するように構成された聴覚装置２によってキャプチャされた、１またはそれ以上のマイクロフォン入力信号９，１１に基づく、聴覚装置２からの複数の無線入力信号を備えてもよい。
【００７７】
プロセッサ２０８は、処理コンテキストパラメータに基づいて聴覚処理スキームを選択し、聴覚処理スキームを複数の入力信号２０１の少なくとも一部または複数の入力信号２０１に適用し、インタフェース２０６を介して（例えば信号５において）、処理された入力信号を聴覚装置２に送信するように構成されてもよい。
【００７８】
インタフェース２０６は、処理コンテキストパラメータ（例えば、雑音除去スキーム識別子および／または優先順位付けスキーム識別子、および／または聴覚装置に送信されるべき１またはそれ以上の出力信号を示す１またはそれ以上の出力信号インジケータを含む処理コンテキストパラメータ）を聴覚装置２に送信するように構成されてもよい。インタフェース２０６は、処理された入力信号を聴覚装置２に送信するように構成されてもよい。
【００７９】
聴覚装置２は、付属装置２００からの第一の無線入力信号５をアンテナ出力信号に変換するアンテナ４を備える。第一の無線入力信号５は、付属装置２００からの処理コンテキストパラメータおよび／または処理された入力信号を含む。
【００８０】
聴覚装置２は、アンテナ４に結合され、アンテナ出力信号を１またはそれ以上の送受信機入力信号７に変換するための無線送受信機６と、第一のマイクロフォン入力信号９および第二のマイクロフォン入力信号１１をそれぞれ提供する第一のマイクロフォン８およびオプションとして第二のマイクロフォン１０を備えるマイクロフォンのセットとを備える。
【００８１】
聴覚装置２は、無線送受信機６、第一のマイクロフォン８および第二のマイクロフォン１０に接続され、送受信機入力信号７、第一のマイクロフォン入力信号９および第二のマイクロフォン入力信号１１を受信し、前処理する、前処理ユニット１２をオプションとして備える。前処理ユニット１２は、入力信号７，９，１１を前処理し、前処理された入力信号をプロセッサ１４への出力として提供するように構成される。
【００８２】
聴覚装置２は、メモリユニット１８を備えてもよい。
【００８３】
聴覚装置２は、１またはそれ以上の前処理された送受信機入力信号７Ａ、前処理された第一のマイクロフォン入力信号９Ａおよび前処理された第二のマイクロフォン入力信号１１Ａを備える、前処理された入力信号を受信し、処理するために、前処理ユニット１２に接続されたプロセッサ１４を備える。
【００８４】
前処理ユニット１２は、付属装置２００から受信した処理コンテキストパラメータ（ここで、処理コンテキストパラメータは、雑音除去スキーム識別子および／または優先順位付けスキーム識別子、および／または聴覚装置に送信されるべき１またはそれ以上の出力信号を示す１またはそれ以上の出力信号インジケータを備える）に基づいて、第一の聴覚処理スキームを選択し、選択された聴覚処理スキームをプロセッサ１４に提供するように構成されてもよい。プロセッサ１４は、選択された第一の聴覚処理スキームを入力信号７Ａ，９Ａ，１１Ａのうちの任意の１またはそれ以上に適用し、電気出力信号１５をレシーバ１６に提供するように構成される。
【００８５】
レシーバ１６は、電気出力信号１５を、聴覚装置のユーザの鼓膜に向けられるオーディオ出力信号に変換する。 
【００８６】
処理された入力信号は、プロセッサ１４によって、ユーザの外耳道に信号を出力するように構成されたレシーバ１６に提供されてもよい。
【００８７】
プロセッサ１４は、ユーザの聴力損失を補償し、本開示に従って処理された入力信号７Ａ，９Ａ，１１Ａに基づいて電気出力信号１５を提供するように構成されてもよい。
【００８８】
図２Ａ、図２Ｂは、付属装置において実行される、聴覚装置を制御するための例示的な方法１００のフロー図である。付属装置は、インタフェース、メモリ、ディスプレイ、およびプロセッサを備える。
【００８９】
方法１００は、環境パラメータを決定すること１０２を備える。例えば、方法１００は、プロセッサを使用して、環境パラメータを決定すること１０２を備えてもよい。
【００９０】
方法１００は、環境パラメータに基づいて処理コンテキストパラメータを決定すること１０４を備える。例えば、方法１００は、プロセッサを使用して、環境パラメータに基づいて処理コンテキストパラメータを決定すること１０４を備えてもよい。
【００９１】
方法１００は、処理コンテキストパラメータを表す第一のユーザインタフェースオブジェクトをディスプレイに表示すること１０６を備えてもよい。環境パラメータは、場所を示してもよい。
【００９２】
方法１００は、決定された処理コンテキストパラメータをメモリに記憶すること、例えば一時的または永続的に記憶することを備えてもよい。
【００９３】
１またはそれ以上の例示的な方法において、ユーザインタフェースオブジェクト、例えば、第一のユーザインタフェースオブジェクト（例えば、ステップ１０６）および／または第二のユーザインタフェースオブジェクト（例えば、ステップ１１２）および／または第三のユーザインタフェースオブジェクト（例えば、ステップ１１９）を表示することは、テキストプロンプト、アイコンおよび／または画像を表示することを備える。第一のユーザインタフェースオブジェクトは、聴覚処理スキーム識別子を表してもよい。
【００９４】
１またはそれ以上の例示的な方法において、方法１００は、処理コンテキストパラメータを表す第一のユーザインタフェースオブジェクトを選択するユーザ入力を検出すること１２０を備える。１またはそれ以上の例示的な方法において、方法１００は、ユーザ入力を検出することに応答して、インタフェースを介して処理コンテキストパラメータを聴覚装置に送信すること１２２、またはオプションとして、ユーザ入力を検出することに応答して、処理コンテキストパラメータに基づいて聴覚処理スキームを選択すること１２６、および聴覚処理スキームを複数の入力信号に適用すること、およびインタフェースを介して処理された入力信号を聴覚装置に送信することを備える。
【００９５】
本明細書において、処理コンテキストパラメータとは、聴覚装置が動作している環境のコンテキストを示すパラメータであり、例えば、雑音を軽減し、圧縮し、入力信号に優先順位を付けて聴覚装置の処理を改善するために、例えば、聴力損失の補償のために、その環境において（好ましくは）使用される処理スキームを示すパラメータである。
【００９６】
１またはそれ以上の例示的な方法において、環境パラメータは、場所パラメータおよび／または環境タイプパラメータを備える。環境パラメータを決定すること１０２は、無線入力信号を受信することと、（例えば、（例えば、家庭、オフィス、学校、および／またはレストランの）無線ローカルエリアネットワークからの、無線ナビゲーションネットワーク（例えばＧＰＳ）からの、あるいは短距離無線システム（例えばＢｌｕｅｔｏｏｔｈ）からの）無線入力信号に基づいて、環境パラメータを決定することとを備えてもよい。
【００９７】
１またはそれ以上の例示的な方法において、環境パラメータに基づいて処理コンテキストパラメータを決定すること１０４は、環境パラメータが１またはそれ以上の第一の基準を満たすか否かを判定すること１０４Ａを備える。１またはそれ以上の例示的な方法において、環境パラメータに基づいて処理コンテキストパラメータを決定すること１０４は、環境パラメータが１またはそれ以上の第一の基準を満たすことに応じて、環境パラメータに対応する処理コンテキストパラメータを決定すること１０４Ｂを備える。
【００９８】
１またはそれ以上の例示的な方法において、１またはそれ以上の第一の基準は、場所の基準を備え、環境パラメータが１またはそれ以上の第一の基準を満たすか否かを判定すること１０４Ａは、環境パラメータが場所の基準を満たすか否かを判定することを備える。１またはそれ以上の例示的な方法において、環境パラメータが場所の基準を満たすか否かを判定することは、環境パラメータが、聴覚処理データベース内に存在する地理的領域に含まれる場所を示すか否かを判定することを備える。環境パラメータが、聴覚処理データベース内に存在する地理的領域内に含まれる場所を示すか否かを判定することは、環境パラメータを備える要求を遠隔に配置された聴覚処理データベースに送信することと、環境パラメータが聴覚処理データベース内に存在する地理的領域内に含まれる場所を示すか否かの指標を備える応答を受信することと、オプションとして環境パラメータが聴覚処理データベース内に存在する地理的領域内に含まれる場所を示す場合に、処理コンテキストパラメータを受信することとを備えてもよい。
【００９９】
１またはそれ以上の第一の基準は、時間の基準を備えてもよい。時間の基準は、期間を備えてもよい。環境パラメータが１またはそれ以上の第一の基準を満たすか否かを判定すること１０４Ａは、環境パラメータが時間の基準の期間内に作成および／または更新された場所を示すか否かを判定することによって、環境パラメータが時間の基準を満たすか否かを判定することを備えてもよい。環境パラメータが、時間の基準の期間を超えて作成および／または更新された場所を示しているとの判定に応じて、環境パラメータが時間の基準を満たしておらず、それによって１またはそれ以上の第一の基準を満たしていないと判定される。
【０１００】
方法１００は、例えば、付属装置の１またはそれ以上のマイクロフォンを介して、および／または、聴覚装置または外部装置から付属装置のインタフェース（例えば付属装置の無線インタフェースを介して）を介して、１またはそれ以上の入力信号を取得することを備えてもよい。入力信号は、マイクロフォン入力信号および／または無線入力信号（例えば、無線ストリーミング信号）を備えてもよい。１またはそれ以上の入力信号を取得することは、（例えば、１またはそれ以上のマイクロフォンを介して）音響環境から、またはインタフェースを介して付属装置と通信するように構成された聴覚装置から、１またはそれ以上の入力信号を取得することを備えてもよい。
【０１０１】
１またはそれ以上の例示的な方法において、方法１００は、環境パラメータが第一の基準を満たさないことに応じて、１またはそれ以上の入力信号の少なくとも一部を記録することを備える。１またはそれ以上の例示的な方法において、方法は、環境パラメータが第一の基準を満たさないことに応じて、１またはそれ以上の入力信号の少なくとも一部および／または１またはそれ以上の入力信号の少なくとも一部を特徴付ける１またはそれ以上のパラメータをメモリに記憶することを備える。
【０１０２】
１またはそれ以上の例示的な方法において、処理コンテキストパラメータは、雑音除去スキーム識別子および／または優先順位付けスキーム識別子、および／または聴覚装置に送信されるべき１またはそれ以上の出力信号を示す１またはそれ以上の出力信号インジケータを備える。１またはそれ以上の例示的な方法において、１またはそれ以上の出力信号は、警報信号、アラーム信号および／または１またはそれ以上のストリーム信号を備える。処理コンテキストパラメータは、環境パラメータに対する音源の望ましさの観点で、ユーザの好みを反映してもよい。処理コンテキストパラメータは、雑音除去スキーム識別子、および／または優先順位付けスキーム識別子、および／または聴覚装置によって出力されるべき１またはそれ以上の出力信号を示す１またはそれ以上の出力信号インジケータを備えてもよい。雑音除去スキーム識別子は、雑音除去スキームを一意に識別する識別子を意味してもよい。優先順位付けスキーム識別子は、優先順位付けスキームを一意に識別する識別子を意味してもよい。１またはそれ以上の出力インジケータは、例えばレシーバによって、聴覚装置によって出力されるべき１またはそれ以上の出力信号（例えば、警報音、アラーム音、ストリームされた信号）を示す。
【０１０３】
１またはそれ以上の例示的な方法において、方法１００は、環境パラメータに基づいてシーンタグを決定すること１０８を含む。シーンタグは、例えば、職場、家庭、学校、屋内および／または屋外の音響環境を示してもよい。１またはそれ以上の例示的な方法において、方法１００は、環境パラメータをシーンタグに関連付けること１１０を備える。１またはそれ以上の例示的な方法において、方法１００は、シーンタグを表す第二のユーザインタフェースオブジェクトをディスプレイに表示すること１１２を備える。
【０１０４】
１またはそれ以上の例示的な方法において、方法１００は、シーンタグを表す第二のユーザインタフェースオブジェクトを選択するユーザ入力を検出すること１２０を含む。１またはそれ以上の例示的な方法において、方法１００は、ユーザ入力を検出することに応答して、メモリまたは遠隔の聴覚処理データベースからシーンタグに対応する処理コンテキストパラメータを検索することと、インタフェースを介して聴覚装置に処理コンテキストパラメータを送信すること１２２と、オプションとして、ユーザ入力を検出することに応答して、処理コンテキストパラメータに基づいて聴覚処理スキームを選択すること１２６と、複数の入力信号に聴覚処理スキームを適用することと、インタフェースを介して処理された入力信号を聴覚装置に送信することを備える。
【０１０５】
１またはそれ以上の例示的な方法において、環境パラメータを表すシーンタグを決定すること１０８は、処理コンテキストパラメータ（例えば、付属装置に結合された聴覚装置によって使用される聴覚処理のコンテキストを示すパラメータ、例えば、聴覚装置に適用される聴覚処理スキームを示すパラメータ）に基づいてシーンタグを決定すること１０８Ａを備える。
【０１０６】
１またはそれ以上の例示的な方法において、方法１００は、１またはそれ以上の処理コンテキストパラメータおよび１またはそれ以上の環境パラメータをシーンタグに関連付けること１１４を備える。
【０１０７】
１またはそれ以上の例示的な方法において、方法１００は、聴覚装置からの複数の入力信号を取得すること１１６を備える。聴覚装置からの複数の入力信号は、例えば、付属装置と通信するように構成された聴覚装置によってキャプチャされた、１またはそれ以上のマイクロフォン入力信号に基づく、聴覚装置からの複数の無線入力信号を備えてもよい。
【０１０８】
１またはそれ以上の例示的な方法において、環境パラメータに基づいて処理コンテキストパラメータを決定すること１０４は、環境パラメータと複数の入力信号の少なくとも一部とに基づいて聴覚処理スキームを決定すること１０４Ｃを備える。環境パラメータと複数の入力信号の少なくとも一部とに基づいて聴覚処理スキームを決定すること１０４Ｃは、処理コンテキストパラメータに基づいて実行されてもよい。１またはそれ以上の例示的な方法において、環境パラメータに基づいて処理コンテキストパラメータを決定すること１０４は、処理コンテキストパラメータを聴覚装置に送信すること１０４Ｄを備える。
【０１０９】
１またはそれ以上の例示的な方法において、方法１００は、処理コンテキストパラメータに基づいて聴覚処理スキームを選択することと、聴覚処理スキームを複数の入力信号の少なくとも一部または複数の入力信号に適用することと、インタフェースを介して、処理された入力信号を聴覚装置に送信することとを備える。
【０１１０】
１またはそれ以上の例示的な方法において、方法は、環境パラメータおよび／または複数の入力信号の少なくとも一部に基づいて、より好ましいシーンタグを決定すること１１８を備える。方法１００は、より好ましいシーンタグを表す第三のユーザインタフェースオブジェクトをディスプレイに表示すること１１９を備えてもよい。例えば、環境パラメータに基づくより好ましいシーンタグとは、環境パラメータおよび／または複数の入力信号の少なくとも一部に基づく聴覚処理を補聴器において改善または実行するために適切であると付属装置により決定されるシーンタグを意味する。付属装置は、聴覚装置での最適な処理のために、環境パラメータを対応する処理コンテキストパラメータと共に記憶するように構成されたコレクティブ聴覚処理データベースにアクセスするように構成されてもよい。付属装置は、決定された環境パラメータを、対応する決定された処理コンテキストパラメータと、聴覚装置での最適な処理のためのより好ましいシーンタグとともに、メモリに記憶するように構成されてもよい。
【０１１１】
１またはそれ以上の例示的な方法において、方法１００は、より好ましいシーンタグを表す第三のユーザインタフェースオブジェクトを選択するユーザ入力を検出すること１２０を備える。１またはそれ以上の例示的な方法において、方法１００は、ユーザ入力の検出に応答して、より好ましいシーンタグに対応する更新された処理コンテキストパラメータを、インタフェースを介して聴覚装置に送信すること１２２を備える。例えば、付属装置は、デフォルトのユーザ選好に基づいてシーンタグの選択を実行することができ、本方法は、より好ましいシーンタグを決定することと、より好ましいシーンタグを表す第三のユーザインタフェースオブジェクトをディスプレイに表示することと、より好ましいシーンタグを表す第三のユーザインタフェースオブジェクトを選択するユーザ入力を検出することと、ユーザ入力を検出することに応答して、インタフェースを介して、より好ましいシーンタグに対応する更新された処理コンテキストパラメータを聴覚装置に送信することとを備える。
【０１１２】
１またはそれ以上の例示的な方法において、方法１００は、より好ましいシーンタグを表す第三のユーザインタフェースオブジェクトを選択するユーザ入力を検出すること１２０を備える。１またはそれ以上の例示的な方法において、方法は、ユーザ入力を検出することに応答して、より好ましいシーンタグに対応する更新された処理コンテキストパラメータに基づいて聴覚処理スキームを選択すること１２６と、聴覚処理スキームを複数の入力信号に適用することと、インタフェースを介して処理された入力信号を聴覚装置に送信することとを備える。これにより、処理された入力信号を聴覚装置に直接提供することができ、聴覚装置のバッテリ寿命が改善される。
【０１１３】
図３は、本開示による付属装置２００のディスプレイ２０２に表示される例示的なユーザインタフェース２２０を示す。
【０１１４】
ユーザインタフェース２２０は、処理コンテキストパラメータを表す第一のユーザインタフェースオブジェクト２１０を含む。第一のユーザインタフェースオブジェクト２１０は、テキストプロンプト（例えば「雑音除去スキーム１を有効にする」）および／またはアイコン（スライド、チェックボックスなど）および／または画像を備えてもよい。第一のユーザインタフェースオブジェクト２１０を選択するユーザ入力は、聴覚装置への処理スキームの送信および／または第一のユーザインタフェースオブジェクトによって示される処理スキームの適用を有効化する。
【０１１５】
ユーザインタフェース２２０は、シーンタグを表す第二のユーザインタフェースオブジェクト２１２を備える。第二のユーザインタフェースオブジェクト２１２は、テキストプロンプト（例えば「学校」）および／またはアイコン（スライド、チェックボックスなど）および／または画像を備えてもよい。第一のユーザインタフェースオブジェクト２１０を選択するユーザ入力は、シーンに対応する処理スキームの聴覚装置への送信および／またはシーンに対応する処理スキームの適用を有効化する。
【０１１６】
ユーザインタフェース２２０は、より好ましいシーンタグを表す第三のユーザインタフェースオブジェクト２１４を備える。第三のユーザインタフェースオブジェクト２１４は、テキストプロンプト（例えば「屋外」）および／またはアイコン（スライド、チェックボックスなど）および／または画像を備えてもよい。
【０１１７】
「第一」、「第二」、「第三」および「第四」、「一次」、「二次」、「三次」等の用語の使用は、特定の順序を意味するものではなく、個々の要素を識別するために含まれている。さらに、「第一」、「第二」、「第三」および「第四」、「一次」、「二次」、「三次」などの用語の使用は、順序または重要性を示すものではなく、むしろ「第一」、「第二」、「第三」および「第四」、「一次」、「二次」、「三次」などの用語は、ある要素を別の要素から区別するために使用される。「第一」、「第二」、「第三」および「第四」、「一次」、「二次」、「三次」等の用語は、本明細書および添付の書類において、単に標識の目的で使用されており、特定の空間的または時間的な順序を示すことを意図したものではないことに留意されたい。さらに、第一の要素の標識は、第二の要素の存在を意味するものではなく、その逆もまた同様である。
【０１１８】
幾つかの特徴を示し、説明したが、それらは特許請求の範囲に記載された発明を限定することを意図したものではなく、特許請求の範囲に記載された発明の精神および範囲から逸脱することなく様々な変更および修正を行うことができることは当業者には明らかであろう。従って、明細書および図面は、限定的な意味ではなく、例示的な意味とみなされる。特許請求の範囲に記載された発明は、全ての代替形態、変形形態および均等形態を包含することを意図している。
【符号の説明】
【０１１９】
２      ：聴覚装置
４      ：アンテナ
５      ：第一の無線入力信号
６      ：無線送受信機
７      ：送受信機入力信号
７Ａ    ：前処理された送受信機入力信号
８      ：第一のマイクロフォン
９      ：第一のマイクロフォン入力信号
９Ａ    ：前処理された第一のマイクロフォン入力信号
１０    ：第二のマイクロフォン
１１    ：第二のマイクロフォン入力信号
１１Ａ  ：前処理された第二のマイクロフォン入力信号
１２    ：前処理ユニット
１４    ：プロセッサ
１５    ：電気出力信号
１６    ：レシーバ
１００  ：聴覚装置を制御するための方法
１０２  ：環境パラメータを決定すること
１０４  ：環境パラメータに基づいて処理コンテキストパラメータを決定すること
１０４Ａ：環境パラメータが１またはそれ以上の第一の基準を満たすか否かを判定すること
１０４Ｂ：環境パラメータが１またはそれ以上の第一の基準を満たすことに応じて、環境パラメータに対応する処理コンテキストパラメータを決定すること
１０４Ｃ：環境パラメータと複数の入力信号の少なくとも一部とに基づいて聴覚処理スキームを決定すること
１０４Ｄ：処理コンテキストパラメータを聴覚装置に送信すること
１０６  ：処理コンテキストパラメータを表す第一のユーザインタフェースオブジェクトをディスプレイに表示すること
１０８  ：環境パラメータに基づいてシーンタグを決定すること
１０８Ａ：処理コンテキストパラメータに基づいてシーンタグを決定すること
１１０  ：環境パラメータをシーンタグに関連付けること
１１２  ：シーンタグを表す第二のユーザインタフェースオブジェクトをディスプレイに表示すること
１１４  ：１またはそれ以上の処理コンテキストパラメータおよび１またはそれ以上の環境パラメータをシーンタグに関連付けること
１１６  ：聴覚装置からの複数の入力信号を取得すること
１１８  ：環境パラメータおよび／または複数の入力信号の少なくとも一部に基づいて、より好ましいシーンタグを決定すること
１１９  ：より好ましいシーンタグを表す第三のユーザインタフェースオブジェクトをディスプレイに表示すること
１２０  ：処理コンテキストパラメータを表す第一のユーザインタフェースオブジェクトを選択するユーザ入力を検出すること
１２２  ：ユーザ入力の検出に応答して、より好ましいシーンタグに対応する更新された処理コンテキストパラメータを、インタフェースを介して聴覚装置に送信すること
１２６  ：ユーザ入力を検出することに応答して、より好ましいシーンタグに対応する更新された処理コンテキストパラメータに基づいて聴覚処理スキームを選択することと、聴覚処理スキームを複数の入力信号に適用することと、インタフェースを介して処理された入力信号を聴覚装置に送信すること
２００  ：付属装置
２０１  ：聴覚装置からの入力信号
２０２  ：ディスプレイ
２０４  ：メモリ
２０６  ：インタフェース
２０８  ：プロセッサ
２１０  ：処理コンテキストパラメータを表す第一のユーザインタフェースオブジェクト
２１２  ：シーンタグを表す第二のユーザインタフェースオブジェクト
２１４  ：より好ましいシーンタグを表す第三のユーザインタフェースオブジェクト
２２０  ：ユーザインタフェース
【図１】
2020061731.tif 000003
【図２Ａ】
2020061731.tif 000004
【図２Ｂ】
2020061731.tif 000005
【図３】
2020061731.tif 000006
【外国語明細書】
2020061731000001.pdf
2020061731000002.pdf
2020061731000003.pdf
2020061731000004.pdf